(57)【要約】【課題】ＶＯＣガスの発生を抑制する冷蔵庫を得ることを目的とする。【解決手段】冷凍サイクルの放熱パイプと、発泡ポリスチレンの断熱材とを備えた冷蔵庫において、前記放熱パイプ近傍に配置される前記発泡ポリスチレンはビーズ法発泡ポリスチレンであって、該ビーズ法発泡ポリスチレンの近傍に揮発性有機化合物を吸着する吸着剤を設けたことを特徴とする。また、食品を保存する貯蔵室と、圧縮機を設けた機械室と、発泡ポリスチレンの断熱材とを備えた冷蔵庫において、前記機械室と前記貯蔵室とを区画する部分に配置される前記発泡ポリスチレンはビーズ法発泡ポリスチレンであって、前記機械室内又は該機械室の近傍に揮発性有機化合物を吸着する吸着剤を設けたことを特徴とする【選択図】  図１
2011017473.tif 000002
【特許請求の範囲】
【請求項１】
冷凍サイクルの放熱パイプと、発泡ポリスチレンの断熱材とを備えた冷蔵庫において、
前記放熱パイプ近傍に配置される前記発泡ポリスチレンはビーズ法発泡ポリスチレンであって、該ビーズ法発泡ポリスチレンの近傍に揮発性有機化合物を吸着する吸着剤を設けたことを特徴とする冷蔵庫。
【請求項２】
食品を保存する貯蔵室と、圧縮機を設けた機械室と、発泡ポリスチレンの断熱材とを備えた冷蔵庫において、
前記機械室と前記貯蔵室とを区画する部分に配置される前記発泡ポリスチレンはビーズ法発泡ポリスチレンであって、前記機械室内又は該機械室の近傍に揮発性有機化合物を吸着する吸着剤を設けたことを特徴とする冷蔵庫。
【請求項３】
請求項１において、前記吸着剤が封入された吸着剤カセットを冷蔵室内に設置したことを特徴とする冷蔵庫。
【請求項４】
請求項２において、前記吸着剤が封入された吸着剤カセットを前記機械室内又は該機械室の近傍に設置したことを特徴とする冷蔵庫。
【請求項５】
請求項１又は２において、前記吸着剤として活性炭または疎水性モレキュラシーブスを用いた冷蔵庫。
【請求項６】
請求項５において、前記疎水性モレキュラシーブスとしてケイ酸，アルミン酸アルカリ金属複合塩からなる合成ゼオライトを用いた冷蔵庫。
【発明の詳細な説明】
【技術分野】
【０００１】
本発明は、冷蔵庫に関する。
【背景技術】
【０００２】
家電製品に用いられる塗料や接着剤等の溶剤又は洗浄剤として、揮発性有機化合物（以下「ＶＯＣ（Volatile Organic Compounds）」という）が知られている。ＶＯＣは、常温で揮発しやすく、油汚れを落としやすい等の特徴を有する。一方、ＶＯＣガスはシックハウス症候群の原因物質ともされていることから、ＶＯＣガスの発生を低減する必要がある。また、冷蔵庫においては、スチレンやトルエンといったＶＯＣガスの放散が確認されている。
【０００３】
従来、ＶＯＣガスの低減手段として、特許文献１及び２に記載のものがある。
【０００４】
特許文献１には、オゾン分解作用によって冷蔵庫内の臭気成分や有害物質を酸化分解する構成が記載されている。
【０００５】
特許文献２には、オゾン発生手段と、オゾン分解フィルターと、脱臭・除菌フィルターを備える冷蔵庫の構成が記載されている。
【先行技術文献】
【特許文献】
【０００６】
【特許文献１】特開２００１−３５５９５８号
【特許文献２】特開２００８−１４５７２号
【発明の概要】
【発明が解決しようとする課題】
【０００７】
しかしながら、特許文献１に記載の構成は、オゾン脱臭装置が大型化するため、冷蔵庫に搭載した場合に食品貯蔵空間が減少する、という課題があった。
【０００８】
また、特許文献２に記載の構成は、オゾン分解フィルター及び脱臭・抗菌フィルターが冷気の通気抵抗となり、圧力損失が増加する、という課題があった。
【０００９】
そこで、本発明は上記課題を解決するために、ＶＯＣガスの発生を抑制する冷蔵庫を得ることを目的とする。
【課題を解決するための手段】
【００１０】
上記課題を解決するために、本発明は、冷凍サイクルの放熱パイプと、発泡ポリスチレンの断熱材とを備えた冷蔵庫において、前記放熱パイプ近傍に配置される前記発泡ポリスチレンはビーズ法発泡ポリスチレンであって、該ビーズ法発泡ポリスチレンの近傍に揮発性有機化合物を吸着する吸着剤を設けたことを特徴とする。
【００１１】
また、食品を保存する貯蔵室と、圧縮機を設けた機械室と、発泡ポリスチレンの断熱材とを備えた冷蔵庫において、前記機械室と前記貯蔵室とを区画する部分に配置される前記発泡ポリスチレンはビーズ法発泡ポリスチレンであって、前記機械室内又は該機械室の近傍に揮発性有機化合物を吸着する吸着剤を設けたことを特徴とする。
【００１２】
また、前記吸着剤が封入された吸着剤カセットを冷蔵室内に設置したことを特徴とする。
【００１３】
また、前記吸着剤が封入された吸着剤カセットを前記機械室内又は該機械室の近傍に設置したことを特徴とする。
【００１４】
また、前記吸着剤として活性炭または疎水性モレキュラシーブスを用いる。
【００１５】
また、前記疎水性モレキュラシーブスとしてケイ酸，アルミン酸アルカリ金属複合塩からなる合成ゼオライトを用いる。
【発明の効果】
【００１６】
本発明によれば、ＶＯＣガスの発生を抑制する冷蔵庫を得ることができる。
【図面の簡単な説明】
【００１７】
【図１】本発明の実施例における冷蔵庫本体と冷凍サイクルを示す図である。
【図２】本発明の実施例における冷蔵庫の縦断面図である。
【図３】図２のＡ部拡大図である。
【図４】本発明の実施例における両開き扉タイプの冷蔵庫の外観図である。
【図５】図４のＢ−Ｂ′横断面図である。
【図６】本発明の実施例における冷蔵庫の冷蔵室扉を開いた状態の外観図であり、吸着剤を冷蔵室に設けた図である。
【図７】本発明の実施例における吸着剤カセットの断面斜視図である。
【図８】本発明の実施例における冷蔵庫の縦断面図であり、吸着剤を機械室に設けた図である。
【図９】吸着剤の揮発性有機化合物のガスの吸着特性を示した図である。
【発明を実施するための形態】
【００１８】
以下、本発明の実施の形態について、図面を参照しながら詳細に説明する。
【００１９】
図１は、本発明の実施例における冷蔵庫本体と冷凍サイクルを示す図である。図２は、本発明の実施例における冷蔵庫の縦断面図である。図３は、図２のＡ部拡大図である。
【００２０】
図１において、冷凍装置は圧縮機１，凝縮器２，膨張機構３及び蒸発器４を備えている。圧縮機１は、低温低圧の冷媒ガスを圧縮した後、高温高圧の冷媒ガスを吐出して凝縮器２に送る。凝縮器２に送られた冷媒ガスは、その熱を空気中に放出しながら高温高圧の冷媒液となり、膨張機構３に送られる。膨張機構３を通過する高温高圧の冷媒液は、絞り効果により低温低圧の湿り蒸気となり、蒸発器４へ送られる。蒸発器４に入った冷媒は、周囲から熱を吸収して蒸発し、蒸発器４を通過した低温低圧の冷媒ガスは、圧縮機１に吸い込まれ、以下同じサイクルが繰り返される。
【００２１】
なお、凝縮機２を出た高温高圧の冷媒ガスは、放熱パイプ６を通るため、放熱パイプ６の配設されている周囲は高温となりやすい。放熱パイプの温度は３５℃程度である。
【００２２】
次に、図２及び図３において、冷蔵庫１１の各貯蔵室を区画する仕切１０ａ，１０ｂは、発泡ポリスチレン８が仕切板５に覆われて設けられている。放熱パイプ６は、外板９に張付けられ、断熱材としての発泡ポリスチレン８に直接接触する。
【００２３】
ここで、放熱パイプ６からの放熱により、発泡ポリスチレン８が加温されて、ＶＯＣガスが発生する。このときの発泡ポリスチレン８は、放熱パイプ６からの発熱を受けて２８℃程度になる。
【００２４】
次に、図４に両開き扉タイプの冷蔵庫の外観図を示す。また、図５に図４のＢ−Ｂ′の横断面図を示す。冷蔵室１１ａの両開き扉１１ｂの断熱を保つために、扉１１ｂの合わせ部、すなわち反ヒンジ側には回転仕切７が設置されている。回転仕切７内には、断熱材として発泡ポリスチレン８が収納されている。回転仕切７は、結露防止のためにヒータで加温されており、温度としては２８℃から３０℃程度である。
【００２５】
これら発泡ポリスチレンには、接着剤としてトルエンが使われることが多い。そのため、周囲温度の上昇によりスチレンやトルエンの放散現象が発生する。
【００２６】
これらのＶＯＣガスの発生を低減する方法として、接着剤としてトルエンを使用しないグレードのものを選定することや、発泡ポリスチレン製造時の反応時間を長くすることで、スチレンの放散量を低減したものを作り出すといった方法もある。
【００２７】
しかしながら、接着剤としてトルエン以外のものを選定したり、発泡ポリスチレン製造時の反応速度を長くしたりすると、製造に時間がかかり、発泡ポリスチレンのコストアップにつながる。
【００２８】
従って、周囲温度が低く、ＶＯＣガスの発生が起こりにくい箇所には従来の通常品の発泡ポリスチレンを使用し、周囲温度の高い箇所にＶＯＣ低減品の発泡ポリスチレンを使用する。これにより、ＶＯＣガスの発生量を抑制する効果を奏しつつ、且つコストアップを抑えることができる。
【００２９】
また、ＶＯＣ低減グレードのＥＰＳ（Expanded Poly-Styrene）材を用いれば、ＶＯＣガス発生量を１５０μｇ／１００ｇ以下に抑えることが可能である。なお、ＥＰＳとは、ビーズ法発泡ポリスチレンのことであり、ポリスチレン樹脂と炭化水素系の発泡剤からなるビーズ状の原料を、一次発泡させた後、金型に充填し加熱することにより、約３０倍から８０倍に二次発泡したものをいう。
【００３０】
次に、図６及び図７を参照しながら、本実施例の吸着剤について説明する。図６は、冷蔵室１１ａに吸着剤１３を設置した外観を示す。図７は、吸着剤カセット１２の断面を示す。
【００３１】
吸着剤１３はペレット状であり、吸着剤カセット１２内に封入して設けられる。吸着剤カセット１２は、冷蔵室１１ａ内に設置する。
【００３２】
放熱パイプ６の放熱を受けて、発泡ポリスチレン８から発生するＶＯＣガスは、冷蔵庫１１内に蓄積される。冷蔵室扉１１ｂ等の開閉により、このＶＯＣガスは冷蔵庫１１の設置空間内に放散される。本実施例では、吸着剤カセット１２を庫内に設置することにより、使用者が冷蔵室扉１１ｂを開ける場合、発生したＶＯＣガスは速やかに吸着される。そのため、冷蔵室扉１１ｂの開閉時に室内に放散されることを抑制できる。
【００３３】
なお、放熱パイプ６の近傍に設置される発泡ポリスチレン８は、ビーズ法発泡ポリスチレン（ＥＰＳ）である。
【００３４】
次に、図８は機械室１４に吸着剤１３を設置した外観を示す。
【００３５】
冷蔵庫１１内において、特に温度が高くなる箇所は機械室１４である。機械室１４と貯蔵室とを区画する部分に配置される発泡ポリスチレン８は、ビーズ法発泡ポリスチレン（ＥＰＳ）である。機械室１４には、冷凍サイクルを構成する圧縮機１が設置され、当該圧縮機１からの放熱によって、圧縮機１の下床部は５０℃以上になる。すると、機械室１４近傍の発泡ポリスチレン８が暖められて、ＶＯＣガスが発生しやすくなる。そこで、機械室１４内又は機械室１４の近傍に揮発性有機化合物を吸着する吸着剤１３を設ける。設置される吸着剤１３は、ペレット状とし、吸着剤カセット１２内に封入される。吸着剤カセット１２は、機械室１４内に設置される。
【００３６】
圧縮機１の高熱を受けて、機械室１４に発生したＶＯＣガスは、吸着剤カセット１２により捕集される。これにより、冷蔵庫１１の設置空間内に放散されることが抑制される。
【００３７】
次に、表１及び図９を参照しながら、吸着剤１３のＶＯＣガス吸着特性についてした試験結果に基づき説明する。本試験は、ＶＯＣガスとして、スチレンとトルエンを１：１の割合で混ぜ、濃度を１０ppmとした雰囲気の中に吸着剤１３を入れて加熱し、一定時間暴露させた後、雰囲気ガスのＶＯＣガス減少量を測定した。試験温度は２８℃として、暴露時間は０.５ｈｒ，１ｈｒ，１.５ｈｒ，２ｈｒで行った。試験後のガスは、シリンジで採取してガスクロマトグラフにて測定した。吸着剤としては、疎水性モレキュラシーブス２種類及び活性炭を使用した。疎水性モレキュラシーブスは、ケイ酸，アルミン酸アルカリ金属複合塩からなる合成ゼオライトである。
【００３８】
実施例１は、疎水性モレキュラシーブスで、分子径が６〜８Åのものを吸着しやすい。例えばトルエン，メチルイソブチルケトン等が上げられる。
【００３９】
実施例２は、疎水性モレキュラシーブスで、分子径が６Å以下のものを吸着しやすい。例えばメタノール，エタノール，アセトン，メチレンクロライド，エチレン，アセトアルデヒド等が上げられる。
【００４０】
実施例３は活性炭である。活性炭はスチレン，トルエン等の吸着に適している。
【００４１】
【表１】
2011017473.tif 000003
【００４２】
測定の結果、比較例１においては、吸着剤１３が封入されていないため、２ｈｒ経過後もトルエン，スチレンの減少は殆どみられなかった。一方、実施例１及び実施例２では、０.５ｈｒ経過時点でトルエン，スチレンの濃度が１／１０以下と急激に減少し、１.５ｈｒ以降はほぼ安定している。２ｈｒ以降では、濃度測定限界である０.０１ppmに達している。
【００４３】
実施例３についても、０.５ｈｒ経過時で１／１０程度に減少しているが、実施例１及び実施例２と比較すると約２倍の残存率となっている。２ｈｒ経過後を比較すると、トルエンで３倍、スチレンで４倍の差が出てきているが、吸着時間が増加すれば吸着は進行するといえる。
【００４４】
以上の結果から、高温になりＶＯＣガスの発生が発生しやすい放熱パイプ７６近傍や機械室１４にＶＯＣの吸着剤１３を設置することにより、発生したＶＯＣガスを速やかに吸着し、冷蔵庫１１からのＶＯＣガス発生量の低減を図ることができる。
【符号の説明】
【００４５】
１  圧縮機
５  仕切板
６  放熱パイプ
７  回転仕切
８  発泡ポリスチレン
９  外板
１１ａ  冷蔵室
１２  吸着剤カセット
１３  吸着剤
１４  機械室
【図１】
2011017473.tif 000004
【図２】
2011017473.tif 000005
【図３】
2011017473.tif 000006
【図４】
2011017473.tif 000007
【図５】
2011017473.tif 000008
【図６】
2011017473.tif 000009
【図７】
2011017473.tif 000010
【図８】
2011017473.tif 000011
【図９】
2011017473.tif 000012